(57)【特許請求の範囲】
【請求項１】
間に中空部を有して対面配置される第１の仕切板及び第２の仕切板と、
前記第１の仕切板及び第２の仕切板の外周を密閉するフレームと、を備え、
前記第１の仕切板及び第２の仕切板はそれぞれに吸引部を有し、第１の仕切板に設けられた第１の吸引部と第２の仕切板に設けられた第２の吸引部とが互いにずれた位置に配置され、
前記フレームは、外部の排気装置等に接続される排気口と、フレームの内部に設けられる吸引路と、吸引路を介して前記中空部と排気口とを連通する吸込部と、を有するパーテーション装置。
【請求項２】
前記第１の吸引部及び第２の吸引部は、第１の仕切板及び第２の仕切板のほぼ中央部に設けられる請求項１に記載のパーテーション装置。
【請求項３】
前記吸込部は、第１の仕切板及び第２の仕切板の両側において、前記第１の吸引部及び第２の吸引部とほぼ同じ高さ位置に設けられる請求項１又は２に記載のパーテーション装置
【請求項４】
前記第１の吸引部は第１の仕切板を貫通する複数の第１の吸引孔によって形成され、前記第２の吸引部は第２の仕切板を貫通する複数の第２の吸引孔によって形成され、
前記第１の吸引孔と前記第２の吸引孔とは、各仕切板の面方向と直交する方向において互いに開口部分の重なりを避けて配置されている請求項１に記載のパーテーション装置。
【請求項５】
前記第１の吸引孔及び第２の吸引孔は、小孔又はスリットからなる請求項４に記載のパーテーション装置。
【請求項６】
前記第１の仕切板及び第２の仕切板はそれぞれが矩形状に形成され、
前記フレームは第１の仕切板及び第２の仕切板の両側部を密閉する一対のサイドフレーム部を有し、
前記一対のサイドフレーム部は、少なくとも中間部に前記吸込部を有し、上端部に前記排気口を有する請求項１又は３に記載のパーテーション装置。
【請求項７】
前記第１の仕切板及び第２の仕切板は透光性を有する樹脂材からなる請求項１に記載のパーテーション装置。
【発明の詳細な説明】
【技術分野】
【０００１】
この発明は、ウイルス等の病原体の飛沫による感染症拡大を防止するためのパーテーション装置に関する。
【背景技術】
【０００２】
従来から対面会話時のウイルスによる飛沫感染対策としてアクリル板を人と人との間に仕切りとして置くパーテーション装置が知られている。また、最近では間仕切り板に吸引機能を持たせ、間仕切り板付近の空気を吸引することで、空気中にウイルスが拡散することを防止したり、さらに殺菌機能を持たせて空気を浄化することにより話し相手にウイルスが付着することを防止するパーテーション装置が知られている（特許文献１参照）
【０００３】
また、２枚のアクリル板を貼り合わせて２層構造とし、上端に構成された飛沫吸引部から内部に空気を吸引することで、空気中にウイルスが拡散することを防止するようにしたパーテーション装置も知られている（非特許文献１参照）。
【先行技術文献】
【特許文献】
【０００４】
【特許文献１】特許第６８０８１５９号
【非特許文献】
【０００５】
【非特許文献１】株式会社エコ革  「飛沫瞬時吸引・殺菌システム」プレスリリース  ２０２０年７月９日https://prtimes.jp/main/html/rd/p/000000001.000061502.htmlＵＲＬ最終閲覧日  ２０２１年３月２日最終閲覧
【発明の概要】
【発明が解決しようとする課題】
【０００６】
しかしながら、上記特許文献１に記載されたパーテーション装置にあっては、間仕切り板に持たせた吸引機能より、間仕切り板を挟んで会話する相手側への飛沫の飛散をある程度防止できるものの、空気中にウイルスが拡散することを十分には抑制できない。一方、非特許文献１に記載されたパーテーションにあっては、２枚のアクリル板の上端に構成された飛沫吸引部から内部に空気を吸引するため、空気中にウイルスが拡散することを防止することができる。しかしながら、パーテーションを挟んで対面して会話する場合に、相手との会話が２枚のアクリル板によって遮られて聞き取りにくいといった問題がある。
【０００７】
そこで本発明の目的は、ウイルスの空気中への拡散対策を実施しながらパーテーション越しでの会話を容易に行うことができるパーテーション装置を提供するものである。
【課題を解決するための手段】
【０００８】
本発明によるパーテーション装置は、間に中空部を有して対面配置される第１の仕切板及び第２の仕切板と、第１の仕切板及び第２の仕切板の外周を密閉するフレームとを備え、第１の仕切板及び第２の仕切板はそれぞれに吸引部を有し、第１の仕切板に設けられた第１の吸引部と第２の仕切板に設けられた第２の吸引部とが互いにずれた位置に配置され、フレームは、外部の排気装置等に接続される排気口と、フレームの内部に設けられる吸引路と、吸引路を介して中空部と排気口とを連通する吸込部を有する。
【発明の効果】
【０００９】
本発明のパーテーション装置によれば、２枚の仕切板に設けた各吸引部から仕切板の中空部内に飛沫を吸引し、中空部内の飛沫を仕切板のフレームを通して外部に吸引排気できるようにしたので、飛沫中に含まれるウイルスの拡散を効果的に防ぐことができる。
【００１０】
また、本発明のパーテーション装置によれば、各仕切板に吸引部を設けたので、パーテーションを挟んで会話する互いの声が、仕切板の吸引部を通して聞こえ易くなる。さらに、各仕切板に設けた吸引部を互いにずれた位置に配置したので、一方の仕切板の吸引部から中空部内に吸引された飛沫がそのまま他方の仕切板の吸引部からは外部に放出されにくい。
【図面の簡単な説明】
【００１１】
【図１】本発明の一実施形態に係るパーテーション装置の斜視図である。
【図２】図１中Ａ−Ａ断面図である。
【図３】第１の仕切板の正面側から見た吸引部の拡大図である。
【図４】フレームと仕切板との嵌合状態を示す断面図である。
【図５】図１中Ｂ部拡大図である。
【図６】パーテーション装置の正面図である。
【図７】パーテーション装置による飛沫吸引作用を示す説明図である。
【図８】吸引部の変形例を示すスリットの拡大図である。
【発明を実施するための形態】
【００１２】
以下、本発明のパーテーション装置について、図面を参照しながら各実施形態に基づいて説明する。なお、図面は、パーテーション装置、パーテーション装置の構成部材およびパーテーション装置の周辺部材を模式的に表したものであり、これらの実寸の寸法および寸法比は、図面上の寸法および寸法比と必ずしも一致していない。また、特に断らない限り、便宜上、図１に示すパーテーションの向きを基準に、上下、左右などの方向を表わす。重複説明は適宜省略し、同一部材には同一符号を付与することがある。
【００１３】
図１乃至図６には本発明の一実施形態に係るパーテーション装置１が示されている。このパーテーション装置１は、間に中空部１３を有して対面配置される第１の仕切板２及び第２の仕切板３と、第１の仕切板２及び第２の仕切板３の外周を取り囲んで中空部１３を密閉するフレーム１０と、を備える。第１の仕切板２及び第２の仕切板３は、いずれも同一形状の矩形平板からなり、互いの間に距離ｔを隔てて略平行に対面配置される。そのため、第１の仕切板２と第２の仕切板３との間には距離ｔを有する中空部１３が仕切板の全域に形成される。第１の仕切板２及び第２の仕切板３には、透明性が高く加工性や耐衝撃性にも優れている透明アクリル板が望ましいが、透光性を有する板材であればアクリル板に限定されるものではない。
【００１４】
前記中空部１３は、第１の仕切板２及び第２の仕切板３の外周を密閉するフレーム１０によって形成される。このフレーム１０は、前記第１の仕切板２及び第２の仕切板３の両側縁を密閉するサイドフレーム１０ａと、第１の仕切板２及び第２の仕切板３の上下側縁を密閉する上下フレーム１０ｂとで構成される。サイドフレーム１０ａは、図４に示されるような断面形状をしており、サイドフレーム１０ａの左右両側にはコ字状の凹溝１４が２列に設けられている。また、図４及び図５に示されるように、少なくともサイドフレーム１０ａの中央部には中空状の吸引路９が設けられている。これら凹溝１４及び吸引路９はサイドフレーム１０ａの長手方向に沿って設けられている。なお、上下フレーム１０ｂには左右の凹溝１４のみが設けられていてもよい。サイドフレーム１０ａ及び上下フレーム１０ｂに設けられた左右の凹溝１４に第１の仕切板２及び第２の仕切板３の各外周縁を嵌め込み固定することで、仕切板２，３の外周が密閉された中空部１３が形成される。本実施形態におけるフレーム１０は、同一断面形状のアルミ押出材が採用されている。同一断面形状のアルミ押出材を用いることにより、フレーム１０の外形部をそろえて組み立てるだけで容易に第１の仕切板２および第２の仕切板３の２枚を平行に保持することができる。アルミ押し出し材によって作製されたフレーム１０は、中空多穴構造であり、高剛性であると共に軽量なので使い勝手が良い。なお、フレームの素材としては、アルミ材以外に金属材又は樹脂材なども適用される。
【００１５】
前記第１の仕切板２及び第２の仕切板３は、それぞれに吸引部４，６を有している。これらの吸引部４，６は、図１に示されるように、第１の仕切板２及び第２の仕切板３のほぼ中央部に設けられている。仕切板２，３の中央部は、仕切板２，３を挟んで会話する場合に、おおむね対面者の口に近い位置にある。そのため、中央部に吸引部を４，６設けることで、会話中に発生する飛沫を効率よく吸引できると同時に吸引部４，６を介して会話の相手の声が聞き取り易くなる。本実施形態では、第１の吸引部４及び第２の吸引部６は、仕切板２，３を貫通する複数の吸引孔５，７によって形成される。図３に示されるように、この実施形態における吸引孔５，７は小さな円孔からなり、複数の吸引孔５，７が同心円状に配置されることで、所定の面積を有する吸引部４，６が構成される。吸引孔５，７の大きさ、数は適宜であり、また、吸引孔５，７の配置も同心円状に限定されるものではなく、例えば格子状や放射状であってもよい。仕切板全体に占める吸引部４，６の面積や配置、形状などは、飛沫の吸引力や声の聞き取り易さなどを考慮して適時決めることができる。一例では、図６に示されるように、仕切板２，３の横幅をＬとした場合、吸引部４，６は、仕切板２，３の中心から半径ｒ＝Ｌ／５の円形領域ａの範囲内に設けられる。
【００１６】
また、第１の吸引部４と第２の吸引部５とは、図２及び図３に示されるように、互いにずれた位置に配置されている。この実施形態では第１の吸引孔５と第２の吸引孔７とが、各仕切板２，３の面と直交する直線方向において互いに開口部分の重なりを避けて配置されている。すなわち、第１の仕切板２の面と直交する第１の吸引孔５を通る直線Ｃ上には第２の吸引孔７は形成されず、第２の仕切板３の面と直交する第２の吸引孔７を通る直線Ｃ’上には第１の吸引孔５は形成されていない。このため、第１の吸引部４から中空部１３内に吸引された飛沫は第２の仕切板３の壁面に遮られて、第２の吸引部６からそのまま放出されずに中空部１３内に留まる確率が高くなる。逆の場合も同様である。なお、この実施形態では第１の吸引孔５と第２の吸引孔７の互いに開口部分の重なりを避ける手段として、互いの吸引孔５，７の円周部を接近させた位置に第１の吸引孔５と第２の吸引孔７を配置しているが、互いの吸引孔５，７の円周部を離した位置に第１の吸引孔５と第２の吸引孔７を配置することもできる。
【００１７】
その際、音声の減衰を最小限に抑える必要がある。互いの吸引孔が離れすぎると声が聞き取りにくくなるからである。たとえば、図３に示されるように、第１の吸引孔５と第２の吸引孔７が同じ直径ΦＤで形成されている場合、第１の吸引孔５を第２仕切板３に対して投影したときに、投影面における第１の吸引孔５と第２の吸引孔７の中心位置は、吸引孔の直径ΦＤとほぼ同距離のＤだけ離れるように配置されるのが望ましい。
【００１８】
図１及び図５に示されるように、左右一対のサイドフレーム１０ａには、上端部に外部排気装置（図示せず）等に接続される排気口１１が設けられ、ほぼ中央部に吸込口８が設けられている。排気口１１と吸込口８は、サイドフレーム１０の内部に形成された中空状の吸引路９とつながっている。そのため、吸引路９を介して前記仕切板２，３の中空部１３とサイドフレーム１０ａの排気口１１とが連通する。前記排気口１１には外部排気装置に接続するための接手１２が取り付られている。また、前記吸込口８は一例ではサイドフレーム１０ａの内側壁に開設された円孔であり、吸引路９に貫通している。吸引口８の大きさ、孔の数は適宜設計される。吸引口８の位置は、図１に示されるように、サイドフレーム１０のほぼ中央位置、すなわち仕切板２，３の設けられた吸引部４，６とほぼ同じ高さ位置が望ましい。仕切板２，３の吸引部４，６から中空部１３内に吸引された飛沫を左右方向にほぼ水平に吸引し、そのまま左右のサイドフレーム１０ａの各吸込口８から吸引路９内に引き込むことで吸引効率を上げることができる。
【００１９】
図７には、前記パーテーション装置１における飛沫吸引作用が示されている。テーブル１６に設置された本発明のパーテーション装置１を挟んで二人の会話者１７，１８が居る場合、二人の会話によって飛び散る飛沫は、各仕切板２，３の中央部に設けられた第１の吸引部４及び第２の吸引部６から中空部１３内に吸引される。中空部１３内に閉じ込められた飛沫の多くは、漂いながら左右に分かれてサイドフレーム１０ａの吸引部８内に吸い込まれ、サイドフレーム１０ａの吸引路９を介して排気口１１（第５図参照）に達する。中空部１３から吸引部８までの吸引力Ｘ及び吸引部８から排気口１１までの吸引力Ｚは、排気口１１に接続される外部排気装置（図示せず）に設けられる吸引装置によって得られる。また、空気中の飛沫が各仕切板２，３の吸引部４，６から中空部１３内に吸引される吸引力Ｙも同様である。パーテーション装置１の排気口１１にまで吸引された飛沫は、そのまま外部排気装置によって吸引排気される。
【００２０】
このように、この実施形態に係るパーテーション装置１によれば、パーテーション装置１を挟んで会話する際に飛び散る多くの飛沫を２枚の仕切板２，３の間に設けた中空部１３内に効率よく吸引することができ、飛沫中に含まれるウイルスの拡散を効果的に防ぐことができる。
【００２１】
また、一方の仕切板２に設けた吸引部４と他方の仕切板３に設けた吸引部６とが互いにずれた位置に配置されているので、一方の吸引部４から中空部１３内に吸引された飛沫がそのまま他方の吸引部６から放出されてしまうといったことがない。
【００２２】
さらに、２枚の仕切板２，３のほぼ中央部に複数の吸引孔５，７からなる吸引部４，６を設けたので、会話者の声が吸引部４，６を通して相手側に伝わり易く、会話が２枚の仕切板２，３によって遮られるといったことがない。なお、吸引部４，６の吸引孔５，７は、複数の小孔に限られることなく、図８に示されるような複数のスリット１５によって形成されていてもよい。
【符号の説明】
【００２３】
１      パーテーション装置
２      第１の仕切板
３      第２の仕切板
４      第１の吸引部
５      第１の吸引孔
６      第２の吸引部
７      第２の吸引孔
８      吸込部
９      吸引路
１０    フレーム
１０ａ  サイドフレーム
１０ｂ  上下フレーム
１１    排気口
１２    接手
１３    中空部
１４    凹溝
１５    スリット
１６    テーブル
１７、１８  会話者
【要約】
【課題】
ウイルスによる飛沫感染対策を実施しながらパーテーション越しでの会話を容易に行うことができるパーテーション装置１を提供する。
【解決手段】
本発明におけるパーテーション装置１は、間に中空部１３を有して対面配置される第１の仕切板２及び第２の仕切板３と、第１の仕切板２及び第２の仕切板３の外周を密閉するフレーム１０とを備え、第１の仕切板２及び第２の仕切板３はそれぞれに吸引部４，６を有し、第１の仕切板２に設けられた第１の吸引部４と第２の仕切板３に設けられた第２の吸引部６とが互いにずれた位置に配置され、フレーム１０は、外部の排気装置等に接続される排気口１１と、フレーム１０の内部に設けられる吸引路９と、吸引路９を介して中空部１３と排気口１１とを連通する吸込部８とを有する。
【選択図】図１【図１】
0006917665.tif 000002
【図２】
0006917665.tif 000003
【図３】
0006917665.tif 000004
【図４】
0006917665.tif 000005
【図５】
0006917665.tif 000006
【図６】
0006917665.tif 000007
【図７】
0006917665.tif 000008
【図８】
0006917665.tif 000009